(57)【特許請求の範囲】
【請求項１】
底面に開口する集塵用の吸込室が設けられた吸込口本体と、
前後に延びる第１軸線の回りに前記吸込口本体に回動自在に装着され、且つ第２の軸受凹部が形成された保持カバーが取り付けられるとともに第１の軸受凹部が形成された支持突部が後方に向けて突設される回転管と、
前記吸込室に連通させられ、且つ前記第１の軸受凹部と前記第２の軸受凹部との間に保持される回転支持軸を一端部に設けて前記第１軸線と直交する第２軸線の回りに回転可能に前記回転管に接続される接続パイプと、
吸込口本体の後部に装着された後輪を備える吸込口体であって、
前記吸込口本体の前記接続パイプ及び回転管の左右に位置する部分に後方に突出する突部が形成され、
前記後輪が前記接続パイプ及び回転管の左右に配設されていると共に前記第２軸線より後方に位置して前記突部に装着されていることを特徴とする吸込口体。
【請求項２】
請求項１に記載の吸込口体を備えることを特徴とする電気掃除機。
【発明の詳細な説明】
【０００１】
【産業上の利用分野】
この発明は、接続パイプが塵埃吸込用の吸込口本体に対して前後に延びる第１軸線及びこの第１軸線と直交する第２軸線の回りに回転可能に装着された吸込口体及びこれを有する電気掃除機に関するものである。
【０００２】
【従来の技術】
従来の電気掃除機には、図１１（特開平８−２８９８６１号公報参照）に示したように、掃除機本体１に吸込口体２を集塵ホース３及び延長管４を介して接続しているものがある。図１１中、３ａは集塵ホース３の自由端部に設けられた手元操作部である。
【０００３】
しかも、吸込口体２は、図１２に示した様に、吸込口本体５の後部に設けたヒンジ雌部６と、ヒンジ雌部６に任意の方向に回動自在に保持されたボール状のヒンジ雄部７と、ヒンジ雄部７と一体の支持体８と、支持体８に接続部として取り付けられた接続パイプ９と、接続パイプ９と吸込口本体５内を連通させる伸縮ホース１０と、吸込口本体５の底壁５ａの前端部及び後端部にそれぞれ装着された自在車輪１１，１２を備えている。
【０００４】
この電気掃除機では、ヒンジ雄部６とヒンジ雌部７からなる球継手Ａを中心に延長管４が任意の方向に傾動できるので、手元操作部３ａを保持した状態で延長管４を接続パイプ９と共に清掃場所に応じて任意の方向に倒すことができる。
【０００５】
【発明が解決しようとする課題】
しかしながら、この電気掃除機では、回動支点となる球継手Ａが後輪としての自在車輪１２より後ろ側に位置しているために、清掃に際して延長管及び接続パイプ９から吸込口本体５の後部に下方への力が作用して、吸込口体５の前側が清掃面１３から浮き上がってしまい、良好な清掃ができない虞がある。
【０００６】
そこで、この発明は、清掃に際して接続パイプから吸込口本体５の後部に下方への力が作用しても、吸込口本体の前側が清掃面から浮き上がることのない吸込口体及びこれを用いた電気掃除機を提供することを目的とするものである。
【０００７】
【課題を解決するための手段】
この目的を達成するため、請求項１の発明は、底面に開口する集塵用の吸込室が設けられた吸込口本体と、前後に延びる第１軸線の回りに前記吸込口本体に回動自在に装着され、且つ第２の軸受凹部が形成された保持カバーが取り付けられるとともに第１の軸受凹部が形成された支持突部が後方に向けて突設される回転管と、前記吸込室に連通させられ、且つ前記第１の軸受凹部と前記第２の軸受凹部との間に保持される回転支持軸を一端部に設けて前記第１軸線と直交する第２軸線の回りに回転可能に前記回転管に接続される接続パイプと、吸込口本体の後部に装着された後輪を備える吸込口体であって、前記吸込口本体の前記接続パイプ及び回転管の左右に位置する部分に後方に突出する突部が形成され、前記後輪が前記接続パイプ及び回転管の左右に配設されていると共に前記第２軸線より後方に位置して前記突部に装着されていることを特徴とする吸込口体としたことを特徴とする。
【０００８】
また、請求項２に記載の発明は、請求項１に記載の吸込口体を備えることを特徴とする電気掃除機としたことを特徴とする。
【００１０】
【発明の実施の形態】
以下、この発明の実施の形態を図１〜図１０に基づいて説明する。
【００１１】
図１０において、２０は掃除機本体、２１は掃除機本体に接続された可撓性の集塵ホース、２２は集塵ホース２１の自由端部に一体に設けられた手元操作パイプ、２２ａは手元操作パイプ２２と一体の握り部である。この手元操作パイプ２２には延長管２３，２４を介して吸込口体３０が接続されている。この吸込口体３０は、図５，図６，図１０に示したような左右に延びる吸込口本体３１と、図１，図２，図１０に示したような回転管３２及び接続パイプ３３を有する。尚、延長管２４が接続パイプ３３に着脱可能に接続されている。
【００１２】
この吸込口本体３１は、下ケース３５と、下ケース３５上に着脱可能に装着された上ケース３６を有する。また、吸込口本体１は、ケース３５，３６の後部間に保持された後カバー３７と、ケース３５，３６間に保持されたバンパーラバー３８を有する。このケース３５，３６間には吸込室３９が形成され、下ケース３５の底壁３５ａには吸込室３９の吸込口３５ｂが形成され、下ケース３５の後部中央の左右の部分には後方に突出する後輪支持用の突部４０，４０が形成されている。
【００１３】
この吸込室３９内には吸込口３５ｂに沿って左右に延びる回転清掃体４１が配設されている。４１ａは回転清掃体４１の回転軸、４１ｂは回転軸４１ａに突設された複数のブレードである。この回転軸４１ａは左右両端部がケース３５，３６間に回転自在に保持されている。しかも、ブレード４１ａは、回転軸４１ａの半径方向に突出していると共に、回転軸４１ａに沿って左右両端部まで延びている。また、上ケース３６の前面上部ににはエア導入口４２が形成されていて、吸込室３９内に作用する吸込負圧でエア導入口４２から吸込室３９にエアが吸い込まれると、この吸い込まれるエア流が回転清掃体４１のブレード４１ｂに作用して、回転清掃体４１が図１，２中矢印Ｂ方向に回転させられるようになっている。
【００１４】
後部カバー３７の中央には、回転軸線としての中心線（第１軸線Ｏ１）が前後方向に向けて延び且つ後方に突出する管支持用の筒部（支持筒部）４３が一体に形成されている。また、後部カバー３７には筒部４３の両側に位置するカバー部３７ａ，３７ａが形成されている。このカバー部３７ａ，３７ａは下ケース３５の後輪支持用の突部４０，４０をカバーしている。
【００１５】
尚、筒部４３は吸込室３９に連通している。しかも、この筒部４３には、図３に示したように周方向に延びる環状溝４３ａ（図１，２では図示の関係上省略している。）が形成されていると共に、回転管３２が回転自在に嵌合されている。そして、回転管３２を貫通し且つ回転管３２に保持された係合部材（抜止部材）４４が環状溝４３ａに係合して、回転管３２を筒部４３に回転自在且つ抜け外れ不能に保持している。
【００１６】
この回転管３２の後部には、図１〜図３及び図７〜図９に示したように、回転管３２の端面の略半分の部分から後方に突出する支持突部４５が形成されている。この支持突部４５の左右には支持壁４６，４６が第１の支持壁として形成され、支持壁４６，４６には半円状の軸受凹部４７，４７が第１の軸受凹部としてそれぞれ形成されている。また、支持壁４６，４６間には壁部４８が連接され、壁部４８には断面円弧状の内面４８ａが形成されている。この内面４８ａの中心線Ｏは筒部４３と直交する方向（図９では左右）に延びている。図中、４９は支持壁４６，４６間の切欠である更に、支持突部４５には保持カバー（保持部材）５０が図８に示した様にタッピングネジＴ１、Ｔ１で固定されている。この保持カバー５０は、回転管３２及び筒部４３の後端の半分を覆っている。しかも、保持カバー５０には、後方に開放する切欠５１と、支持壁４６，４６に当接する支持壁（第２の支持壁）５２，５２が形成されている。また、保持カバー５０には、支持壁５２，５２間に位置して円弧状の内面５０ａが形成されている。この内面５０ａは壁部４８の内面４８ａに沿って延びている。
【００１７】
この各支持壁５２，５２には、半軸受凹部４７，４７と一致する半円状の軸受凹部５３，５３が第２の軸受凹部として形成されていると共に、軸受凹部５３，５３の中央に開放する浅い係止凹部５４，５４が形成されている。また、保持カバー５０には支持壁５２，５２間に位置し且つ係止凹部５４，５４に対応する係止突部５５，５５が形成されている。
【００１８】
接続パイプ３３の一端部には屈曲部３３ａが形成され、屈曲部３３ａの端部には略半円筒状のシール筒部５６が一体に形成されている。このシール筒部５６は、回転軸線としての中心線（第２軸線Ｏ２）が接続パイプ３３の中心線（軸線）と直交する方向に延びている。また、シール筒部５６の軸線方向端部には図８，図９に示したように端壁５７，５７が形成され、端壁５７，５７にはシール筒部５６と同軸の回転支持軸５８，５８が突設されている。
【００１９】
この支持軸５８は軸受凹部４７，５３間に回転自在に保持され、シール筒部５６は円弧状の内面４８ａ，５０ａ間に配設され、内面５０ａとシール筒部５６との間には円弧状のスライド部材５９が配設されている。そして、シール筒部５６には円弧状の内面４８ａに摺接するシール突部６０が形成されている。また、スライド部材５９は、接続パイプ３３を図１の倒した位置と図２の起立させた位置との間の移動に追従して移動して、図１，図３の如く接続パイプ３３を倒したときに切欠５１とシール筒部５６との間を閉塞してシールする。
【００２０】
また、図３に示したように、シール筒部５６の外周面には係止凹部６１が形成され、支持軸５８の外周面には係止突部６２が形成されている。そして、接続パイプ３３を図２の如く起立させたときには、係止凹部６１に係止突部５５が係合すると共に、係止突部６２が係止凹部５４に係合して、接続パイプ３３を起立位置に保持する。
【００２１】
下ケース３５の底面３５ａの前側両端部近傍には前輪６３，６３が回転自在に保持され、下ケース３５の後輪支持用の突部４０，４０の後端部には後輪６４，６４が回転自在に保持されている（図４〜図６参照）。この後輪６４，６４は、回転管３２及び接続パイプ３３の左右に位置している。また、後輪６４，６４は、回転軸線（第３軸線）Ｏ３がシール筒部５６の回転軸線（第２軸線Ｏ２）より後方に位置させられている。
【００２２】
次に、この様な構成の吸込口体３０を有する電気掃除機の作用を説明する。
【００２３】
電気掃除機の不使用時には、接続パイプ３３を図２の如く起立させておく。この状態では、係止凹部６１に係止突部５５が係合すると共に、係止突部６２が係止凹部５４に係合して、接続パイプ３３を起立位置に保持している。
【００２４】
この状態から、吸込口体３０を清掃に使用するために、手元操作パイプ２２の握り部２２ａを掴んで延長管２３，２４を図１０の状態まで傾斜させると、接続パイプ３３が図２の状態から図１の状態まで傾斜する。
【００２５】
この延長管２３，２４の傾斜操作に際して、係止突部５５が係止凹部６１を乗り越えて外れ、係止突部６２が係止凹部５４を乗り越えて外れる様になっている。従って、係止突部５５，６２が係止凹部６１，５４を乗り越える際には吸込口体３０の前側を持ち上げる方向の力が作用する。尚、この様な係止突部５５，６２及び係止凹部６１，５４がなくても、接続パイプ３３を傾斜させる際にシール筒部５６と内面４８ａ，５０ａとの間に摩擦力が作用し、この摩擦力が吸込口体３０の前側を持ち上げる方向の力が作用することもある。
【００２６】
この際には、シール筒部５６に下方への力が作用するが、この力が作用する中心となる第２軸線Ｏ２は後輪６４より前側（前輪６３と後輪６４との間）に位置しているので、吸込口体３０は前側が持ち上げられることがない。また、掃除に際して、接続パイプ３３から吸込口本体３１に下方への力が作用しても、この下方への力の作用点が前輪６３と後輪６３との間に位置しているので、吸込口体３０は前側が持ち上げられることがない。
【００２７】
従って、手元操作パイプ２２の握り部２２ａを掴んで延長管２３，２４を図１０の状態まで傾斜させると、接続パイプ３３を図２の状態から図１の状態まで容易に傾斜させることができる。しかも、通常の掃除に際して、接続パイプ３３を上下に回動操作しても、吸込口体３０は前側が持ち上がる（浮き上がる）ことなしに清掃できる。また、接続パイプ３３から吸込口本体３１に作用する下方への力の作用点が前輪６３と後輪６３との間に位置しているので、接続パイプ３３を図２の状態から図１の状態まで安定した状態で傾斜させることができる。
【００２８】
一方、掃除機本体１の図示しない電動送風機を作動させると、電動送風機の吸込負圧が集塵ホース２１，手元操作パイプ２２，延長管２３，２４，接続パイプ３３及び筒部４３を介して吸込口体３０の吸込室３９に作用する。この吸込負圧でエア導入口４２から吸込室３９にエアが吸い込まれ、この吸い込まれるエア流が回転清掃体４１のブレード４１ｂに作用して、回転清掃体４１が図１，２中矢印Ｂ方向に回転させる。これにより、回転清掃体４１のブレード４１ｂで絨毯等の掃除の際に塵埃が掻き上げられる。そして、掻き上げられた塵埃は、吸込口体３０の吸込口３５ｂから吸い込まれ、掃除機本体１内の図示しない集塵袋内に案内され捕集される。
【００２９】
この状態で、手元操作パイプ２２の握り部２２ａを掴んで吸込口体３０を移動操作する際に、延長管２３，２４及び接続パイプ３３が前後に延びる回転管３２の回り（第１軸線Ｏ１の回り）に回転すると共に、延長管２３，２４及び接続パイプ３３が回転管３２と直交する支持軸５８の回り（第２軸線Ｏ２の回り）に回動するので、延長管２３，２４及び接続パイプ３３を吸込口体３０に対して任意の方向に傾動させることができ、狭い場所での清掃も容易に行うことができる。
【００３０】
また、上述したように吸込口体３０は延長管２３，２４及び接続パイプ３３を吸込口本体３１に対して前後に向けた通常の使用状態で清掃に使用することもできるし、延長管２３，２４及び接続パイプ３３を吸込口本体３１に対して軸線Ｏ１，Ｏ２の回りに回動操作することで、接続パイプ２２を吸込口本体３１と略平行な面内に位置させた通常とは異なる状態で清掃に使用することもできる。この様に吸込口体３０を通常の使用状態と通常とは異なる状態の２通りで使用しても、接続パイプ３３から吸込口本体３１に下方に向けて作用する力の作用点は前輪６３と後輪６４との間に常に位置することになるので、吸込口体３０の使用時に接続パイプ３３から吸込口本体３１に下方への力が作用しても、吸込口本体３１の前側が浮き上がるのを防止できる。
【００３１】
しかも、後輪６４，６４を接続パイプ３３，回転管３２の左右に配設することで、左右の後輪６４，６４と接続パイプ３３が上下方向で重なることがないので、吸込口本体３１の高さを低くすることができる。
【００３２】
【発明の効果】
以上説明したように、請求項１の発明は、底面に開口する集塵用の吸込室が設けられた吸込口本体と、前後に延びる第１軸線の回りに前記吸込口本体に回動自在に装着され、且つ第２の軸受凹部が形成された保持カバーが取り付けられるとともに第１の軸受凹部が形成された支持突部が後方に向けて突設される回転管と、前記吸込室に連通させられ、且つ前記第１の軸受凹部と前記第２の軸受凹部との間に保持される回転支持軸を一端部に設けて前記第１軸線と直交する第２軸線の回りに回転可能に前記回転管に接続される接続パイプと、吸込口本体の後部に装着された後輪を備える吸込口体であって、前記吸込口本体の前記接続パイプ及び回転管の左右に位置する部分に後方に突出する突部が形成され、前記後輪が前記接続パイプ及び回転管の左右に配設されていると共に前記第２軸線より後方に位置して前記突部に装着されていることを特徴とする吸込口体としたので、清掃に際して接続パイプから吸込口本体の後部に下方への力が作用しても、吸込口本体の前側が清掃面から浮き上がることを防止できる。
しかも、前記後輪が前記接続パイプ及び回転管の左右に配設されている構成としたので、吸込口体を接続パイプを前後に向けた通常の位置と、接続パイプを吸込口本体と略平行な面内で上下回動する位置での２通りで清掃に使用しても、接続パイプから吸込口本体に下方に向けて作用する力の作用点が吸込口本体の前側
と後輪との間に常に位置することになる。この結果、この様に吸込口体を２通りで使用しても、吸込口本体の前側が浮き上がるのを防止できる。しかも、後輪を接続パイプ及び回転管の左右に配設することで、左右の後輪と接続パイプ及び回転管が上下方向で重なることがないので、吸込口本体の高さを低くすることができる。
【００３３】
さらに、請求項２の発明は、前記吸込口体を備える電気掃除機としたので、延長管等を接続パイプに接続して使用する際に、延長管及び接続パイプを任意の方向に容易に傾斜操作して、狭い場所での清掃も容易に行うことができる。
【図面の簡単な説明】
【図１】この発明にかかる吸込口体の要部概略断面図である。
【図２】図１の接続パイプを起立させた状態の説明図である。
【図３】図１の接続パイプを破断していない状態の要部拡大説明図である。
【図４】図１の吸込口体の平面図である。
【図５】図４の吸込口体を後ろ側から見た説明図である。
【図６】図４の吸込口体の下ケースの底面図である。
【図７】図１，２の接続パイプの取付部の斜視図である。
【図８】図７のＣ−Ｃ線に沿う断面図である。
【図９】図７に示した接続パイプの取付部を分解して別の角度から見たの分解斜視図である。
【図１０】図１〜図９の構成の吸込口体を有する電気掃除機の斜視図である。
【図１１】従来の電気掃除機の説明図である。
【図１２】図１１の吸込口体の断面図である。
【符号の説明】
２０・・・掃除機本体
２１・・・集塵ホース
２２・・・手元操作パイプ
２３，２４・・・延長管
３０・・・吸込口体
３１・・・吸込口本体
３２・・・回転管
３３・・・接続パイプ
３９・・・吸込室
５６・・・シール筒部
６４・・・後輪
Ｏ１・・・第１軸線
Ｏ２・・・第２軸線
Ｏ３・・・第３軸線
【図１】
0003642940.tif 000002
【図２】
0003642940.tif 000003
【図３】
0003642940.tif 000004
【図４】
0003642940.tif 000005
【図５】
0003642940.tif 000006
【図６】
0003642940.tif 000007
【図７】
0003642940.tif 000008
【図８】
0003642940.tif 000009
【図９】
0003642940.tif 000010
【図１０】
0003642940.tif 000011
【図１１】
0003642940.tif 000012
【図１２】
0003642940.tif 000013